(57)【要約】【課題】内視鏡洗滌装置においてワイヤブラシを交換する際にワイヤブラシがローラに絡まるのを防止する。【解決手段】内視鏡洗滌装置５１がワイヤブラシ３１と、ワイヤブラシワイヤ案内部５６と、駆動部５７とを有する。ワイヤ案内部５６は、駆動部５７を形成するローラ７２の後方部位からワイヤブラシ３１の後退方向へ延びる中間案内部５６ｃと、中間案内部５６ｃの後端６５からさらに後退方向へ延びるキャップ６１とを有する。中間案内部５６ｃの長さＬ１とキャップ６１の長さＬ２の和は、ワイヤブラシ３１の長さＬ０よりも大きく、かつ、長さＬ１は長さＬ０よりも小さい。【選択図】　　　図３
2004135806.tif 000002
【特許請求の範囲】
【請求項１】
前端と後端とを有するワイヤの前記前端にブラシが取り付けられているワイヤブラシと、前記ワイヤブラシをその長さ方向へ伸展した状態で収納可能であって前記後端から前端へ向かう前進方向とその逆の後退方向とへ導くことが可能な長く延びたワイヤ案内部と、前記ワイヤブラシの前記前進方向と後退方向とへの駆動手段とを有し、前記ワイヤ案内部には前端部と後端部とが形成され、前記前端部が内視鏡を着脱可能である内視鏡洗滌装置において、
前記ワイヤ案内部は、前記前端部に前記駆動手段を成して前記ワイヤを径方向から挟持する一対の回転可能なローラが組み込まれ、前記ローラの後方部位からは前記後退方向へ中間案内部が延び、前記中間案内部の後端にはさらに前記後退方向へ延びる取り外し可能なキャップが取り付けられており、前記中間案内部の長さがＬ１であり、前記中間案内部の後端から前記後退方向へ延びる前記キャップ内側の長さがＬ２であって、これら長さＬ１とＬ２との和が前記ワイヤブラシの前記前端から後端までの長さＬ０よりも長く、かつ、前記長さＬ１が前記長さＬ０よりも短いことを特徴とする前記内視鏡洗滌装置。
【請求項２】
前記長さＬ２が５ｍｍ〜５０ｍｍである請求項１記載の内視鏡洗滌装置。
【発明の詳細な説明】
【０００１】
【発明の属する技術分野】
この発明は、ワイヤブラシを使用して内視鏡を洗滌するための装置に関する。
【０００２】
【従来の技術】
従来、内視鏡洗滌槽に納まる内視鏡の管路にワイヤブラシを自動挿入して管路内部を洗滌する装置として、ワイヤブラシを形成している長尺のワイヤをリールに巻き取り、管路の長さに応じて必要量を繰り出すことができる機構を採用している装置がある（特許文献１および２参照）。この装置では、リールの回転数と繰り出し量とが正比例する関係にあって、ワイヤがリールに整然と並んだ状態で巻き取られる。しかしながら、ワイヤがそのように巻き取られていない場合には、リールの繰り出し量を正確に制御することができない。このような状況の下に、本件発明に係る発明者等は、従来の洗滌装置のこのような問題の解決策の一つとして、ワイヤブラシを巻き取るのではなく、長さ方向へほぼ直状に伸展した状態でパイプ状の案内管に収納しておき、伸展したままの状態で案内管の先端に接続された内視鏡に対して挿入、抜脱すればよいとの知見を得た。この場合、ワイヤブラシのワイヤを一対のローラで挟持して前進・後退させれば、ローラの回転数によって繰り出し量を正確に制御できる。
【０００３】
【特許文献１】
特開平７−１９４５３３号公報（第１図）
【特許文献２】
特開平８−２７５９１７号公報（第１図）
【０００４】
【発明が解決しようとする課題】
しかるに、このような知見に基づく洗滌装置においても、パイプ状の案内管の後端に密栓をして案内管に洗滌水を流入させ、前進するワイヤブラシとともにその洗滌水を内視鏡に導き入れることができるように改良したものでは、後退したワイヤブラシの一部分を案内管の後端からのぞかせて、その一部分を持ってワイヤブラシを案内管から抜き取ることができるようにすると、案内管の密栓を予め外しておくという準備操作を忘れたときに、ワイヤブラシがその密栓に突き当たり、それでも後退しようとするワイヤブラシがローラに絡まるとか、ローラの後方で折れ曲がって損傷を受けるということがある。
【０００５】
この発明は、ワイヤブラシを使用して内視鏡を洗滌するための装置の改良に係り、洗滌装置からワイヤブラシを取り出す際に、ワイヤブラシがローラへ絡まるとか、折れ曲がるとかいう問題の解消を課題にしている。
【０００６】
【課題を解決するための手段】
前記課題解決のために、この発明が対象とするのは、前端と後端とを有するワイヤの前記前端にブラシが取り付けられているワイヤブラシと、前記ワイヤブラシをその長さ方向へ伸展した状態で収納可能であって前記後端から前端へ向かう前進方向とその逆の後退方向とへ導くことが可能な長く延びたワイヤ案内部と、前記ワイヤブラシの前記前進方向と後退方向とへの駆動手段とを有し、前記ワイヤ案内部には前端部と後端部とが形成され、前記前端部が内視鏡を着脱可能である内視鏡洗滌装置である。
【０００７】
かかる内視鏡洗滌装置において、この発明が特徴とするところは、前記ワイヤ案内部は、前記前端部に前記駆動手段を成して前記ワイヤを径方向から挟持する一対の回転可能なローラが組み込まれ、前記ローラの後方部位からは前記後退方向へ中間案内部が延び、前記中間案内部の後端にはさらに前記後退方向へ延びる取り外し可能なキャップが取り付けられており、前記中間案内部の長さがＬ１であり、前記中間案内部の後端から前記後退方向へ延びる前記キャップ内側の長さがＬ２であって、これら長さＬ１とＬ２との和が前記ワイヤブラシの前記前端から後端までの長さＬ０よりも長く、かつ、前記長さＬ１が前記長さＬ０よりも短い。
【０００８】
この発明の好ましい実施態様において、前記長さＬ２は５ｍｍ〜５０ｍｍである。
【０００９】
【発明の実施の形態】
添付の図面を参照して、この発明に係る内視鏡洗滌装置の詳細を説明すると、以下のとおりである。
【００１０】
図１は、この発明に係る内視鏡洗滌装置が使用されている洗滌槽３の頂面図であって、洗滌槽３は蓋４が開いた状態にあり、この蓋４がヒンジ５によって洗滌槽３に取り付けられている。洗滌槽３には、使用後の内視鏡２が洗滌のために入れられており、給水口１３，１４からは洗滌水を供給可能である。その洗滌水には、アルカリ水や酸性水、水道水が使用される。これら洗滌水の供給条件、例えば供給の順序や供給量は、洗滌槽３に付属する操作パネル（図示せず）によって設定することができる。洗滌槽３内部の洗滌水は、排水口１５から外へ出る。内視鏡２は慣用のもので、コネクター部１７、ユニバーサルコード部１８、操作部１９、および挿入部２１等を有する。操作部１９には、鉗子挿入口２２、吸引ボタン挿入口２３等が設けられ、これらの挿入口２２，２３のそれぞれからは管路（チャネル）が延びている。
【００１１】
かかる洗滌槽３の側壁３ａからは、フレキシブルな２本の連結管２６，２２６が延び、連結管２６，２２６のそれぞれからは２本のワイヤブラシ３１，２３１が延びている。ワイヤブラシ３１，２３１は、ワイヤ部３３，２３３と、ワイヤ部３３，２３３先端のブラシ部３６，２３６とを有し、連結管２６，２２６の先端からの前進と後退とが可能である。連結管２６と２２６とは、内視鏡２の鉗子挿入口２２と吸引ボタン挿入口２３とのそれぞれに着脱可能である。ワイヤブラシ３１，２３１のそれぞれは、ワイヤ部３３，２３３がブラシ部３６，２３６とともに内視鏡２の鉗子挿入口２２につながる管路と、吸引ボタン挿入口２３につながる管路それぞれの奥部に向かって前進・後退を反復することにより、これらの管路内部をブラッシング洗滌することができる。
【００１２】
洗滌水として供給される好ましいアルカリ水はｐＨ１１．０以上、酸化還元電位（ＯＲＰ）−８００ｍＶ以上のもので、使用後の内視鏡２に付着している血液その他のタンパク質の汚れを溶解するために使用される。好ましい酸性水はｐＨ２．２〜２．７、酸化還元電位＋１１００ｍＶ以上、有効塩素濃度２０〜６０ｍｇ／ｋｇのもので内視鏡２に付着している細菌等を死滅させる殺菌剤として使用される。水道水は、内視鏡２を予めすすぐときや殺菌後にすすぐとき等に使用される。
【００１３】
図２は、洗滌槽３の要部斜視図である。洗滌槽３の外側には、内視鏡洗滌装置である第１洗滌装置５１と第２洗滌装置５２とが取り付けられている。第１洗滌装置５１と第２洗滌装置５２とは、ほぼ同じ構造を有するもので、これらの装置の内部とそれに連結された内視鏡２の内部とに洗滌水を流しながらワイヤブラシ３１，２３１によって、内視鏡２の内部を洗滌することができる。以下ではまず第１洗滌装置５１について説明する。第１洗滌装置５１は、長さの大部分が洗滌槽３を外側から囲むように延びるワイヤ案内部５６と、ワイヤ案内部５６に組み込まれた駆動部５７とを有する。ワイヤ案内部５６は、ワイヤブラシ３１を長さ方向へ伸展した状態で収納可能であって、前端部５６ａと、後端部５６ｂと、これら両端部５６ａ，５６ｂ間に介在する中間案内部５６ｃとを有し、前端部５６ａには連結管２６が含まれる。連結管２６の先端には、内視鏡２の鉗子挿入口２２に対するアタッチメント５９が取り付けられており、アタッチメント５９からは、ワイヤブラシ３１の先端部分がのぞいている。連結管２６の後方に組み込まれた駆動部５７は、洗滌槽３の側壁３ａの外側に固定されている。中間案内部５６ｃは、洗滌槽３の内側にまで延び、その内側にまで延びた後端には、ワイヤ案内部５６の後端部分５６ｂを形成する取り外し可能なキャップ６１（図１，３参照）が取り付けられている。中間案内部５６ｃは、洗滌槽３の側壁３ｂに水密状態で固定され、その後端の近傍には、給水管６３と電磁弁６４とがつながっている。
【００１４】
図３（ａ）は第１洗滌装置５１の断面図である。第１洗滌装置５１では、前進したワイヤブラシ３１が実線で示され、後退したワイヤブラシ３１が仮想線で示されている。前進したワイヤブラシ３１のブラシ部３６は、アタッチメント５９から延出し、ワイヤ部３３の一部がワイヤ案内部５６の内側にあって長さ方向へ延びている。ワイヤ部３３は、その後端に遮光部材６６が設けられている。ワイヤ案内部５６の中間案内部５６ｃは、透明なプラスチックパイプ等からなる光透過性のものであり、駆動部５７のやや後方に前部センサ６７を有し、キャップ６１のやや前方に後部センサ６８を有する。これらセンサ６７，６８は構造が同じもので、ワイヤ案内部５６の径方向外側にあって、互いに向かい合う投光器９１と受光器９２とからなる。実線で示されたワイヤブラシ３１では、遮光部材６６が後部センサ６８における受光器９２の前に位置して投光器９１からの光を遮り、ワイヤブラシ３１が後退位置にあることをセンサ６８に検知させ、そのときに後部センサ６８は適宜の制御回路を介して電気信号を駆動部５７に伝える。その電気信号によって駆動部５７が始動してワイヤブラシ３１が前進し、遮光部材６６が前部センサ６７における受光器９２の前に来ると、投光器９１からの光を遮ってワイヤブラシ３１が前進位置にあることをセンサ６７に検知させ、その検知に基づいて前部センサ６７は電気信号を駆動部５７に伝える。その電気信号によって駆動部５７が停止する。かかる駆動部５７は、ハウジング７１と、ハウジング７１に納まるローラ７２とを有する。中間案内部５６ｃの後端近傍につながる給水管６３では、電磁弁６４が開閉することによって、ワイヤブラシ３１が前進・後退運動しているときにも停止しているときにも、ワイヤ案内部５６の中へアルカリ水、酸性水、および水道水いずれかの洗滌水を供給することができる。このように使用されるワイヤ案内部５６は、センサ６７，６８の近傍の部分のみが光透過性であって、その他の部分が非透過性であってもよい。
【００１５】
駆動部５７におけるローラ７２は、並列した一対のローラ７２ａ，７２ｂ（図１参照）からなり、適宜の圧力でワイヤブラシ３１のワイヤ部３３を挟持して回転し、ワイヤブラシ３１を前進・後退させることができる手段である。ワイヤブラシ３１は、ワイヤ案内部５６に対して挿抜されるときに、ブラシ部３６がローラ７２ａ、７２ｂ間を通過する。ローラ７２ｂは、駆動ギア７４（図１参照）を介してローラ回転用モータ（図示せず）につながっており、ワイヤブラシ３１の前進方向と後退方向とに回転可能である。
【００１６】
このように形成された第１洗滌装置５１では、洗滌槽３の内部において、連結管２６のアタッチメント５９を図１における内視鏡２の鉗子挿入口２２に固定する。このときに、連結管２６からワイヤブラシ３１が突出していれば、鉗子挿入口２２に予め挿し込んでおく。次に、第２洗滌装置５２の連結管２２６のアタッチメント２５９を内視鏡２の吸引ボタン挿入口２３に固定する。洗滌槽３の操作パネルを使って第１，２洗滌装置５１，５２の運転を開始すると、第１洗滌装置５１については、給水管６３の電磁弁６４が開いてワイヤ案内部５６の内部にアルカリ水、酸性水、水道水のいずれかがパネルの設定条件に従って供給される。運転開始時のワイヤブラシ３１は、遮光部材６６が後部センサ６８の受光器９２の前に位置して後退した状態にあり、駆動部５７では、ローラ７２ａ，７２ｂがワイヤブラシ３１を前進させたり後退させたりしながら繰り出して、内視鏡２の鉗子用管路内を徐々に前進させる。ワイヤブラシ３１の遮光部材６６が前部センサ６７に到着すると、遮光部材６６によって光を遮られた前部センサ６７からの信号でワイヤブラシ３１の前進が止まる。その後に、ローラ７２ａ，７２ｂはワイヤブラシ３１を前進させたり後退させたりしながら、または単に後退させるだけで遮光部材６６が後部センサ６８に到着するところまで戻す。通常は、このような洗滌を１サイクルとしてアルカリ水、酸性水、水道水のそれぞれについて少なくとも１サイクルの洗滌を行うことで、内視鏡２の鉗子用管路に対する洗滌が終了する。好ましい第１洗滌装置５１では、各洗滌水ごとの洗滌繰り返し回数（サイクル数）等の洗滌条件を適宜の値に設定することができる。このようにして内視鏡２を洗滌している間に、ワイヤブラシ３１もまた洗滌される。ワイヤブラシ３１は、ワイヤ案内部５６内で直状に延びているから、ワイヤ部３３の周囲およびブラシ部３６の周囲がワイヤ案内部５６に供給される洗滌水によって余すところなく洗滌される。ワイヤブラシ３１は、その遮光部材６６が後部センサ６８に位置しているときにブラシ部３６が内視鏡２の鉗子挿入口２２の手前に位置し、遮光部材６６が前部センサ６７に位置しているときに内視鏡２の鉗子用管路の先端に到着するような長さのものであることが好ましく、ワイヤ案内部５６もそれに対応した長さであることが好ましい。
【００１７】
ワイヤブラシ３１をワイヤ案内部５６に対して挿抜するときには、洗滌槽３の内側にあるキャップ６１を外し、中間案内部５６ｃの後端６５を開放すればよい。その後端６５は洗滌槽３の内側に位置しているから、後端６５が開放状態であったり、後端６５に対するキャップ６１の取り付けが不完全であったりしても、ワイヤ案内部５６に供給される洗滌水は、洗滌槽３が設置されている室内に漏れ出るということがない。但し、第１洗滌装置５１は、ワイヤ案内部５６の後端を洗滌槽３から外した状態でキャップ６１を取り付け、駆動部５７と連結管２６も洗滌槽３から外し、装置５１の全体を洗滌槽３から切り離した状態で使用することも可能である。
【００１８】
図３（ｂ）は第２洗滌装置５２の断面図である。第２洗滌装置５２は、後部センサの構成を除くと、第１洗滌装置５１と同じである。以下では、第２洗滌装置５２について、第１洗滌装置５１の参照番号に対応する部位にその参照番号に２００を加えて説明する。第２洗滌装置５２は、ワイヤ案内部２５６の後端部分２５６ｂ寄りにワイヤ案内部２５６の長さ方向へ並ぶ第１後部センサ２６８ａと、第２後部センサ２６８ｂと、第３後部センサ２６８ｃとを有し、これら第１〜３後部センサ２６８ａ〜２６８ｃのそれぞれの構造は、前部センサ６７のそれと同じであって、投光器２９１と受光器２９２とからなる。この第２洗滌装置５２は、図１に示されている内視鏡２の吸引ボタン挿入口２３につながる吸引管路とユニバーサルコード部１８の管路（いずれも図示せず）とを洗滌するのに適したもので、連結管２２６のアタッチメント２５９は、吸引ボタン挿入口２３に固定される。
【００１９】
洗滌槽３の操作パネルを使って第２洗滌装置５２を始動すると、第１洗滌装置５１と同様にローラ回転用のモータによって駆動されるワイヤブラシ２３１は、遮光部材２６６が第２後部センサ２６８ｂの位置から前進を開始し、前進・後退を繰り返しながら第３後部センサ２６８ｃに到着する。この間にブラシ部２３６は内視鏡２の吸引管路を前進・後退しながら洗滌する。次に、ワイヤブラシ２３１は、遮光部材２６６が第３後部センサ２６８ｃから第１後部センサ２６８ａに到着するまで後退し、その間にブラシ部２３６が内視鏡２の吸引管路から抜ける。さらに、ワイヤブラシ２３１は、遮光部材２６６が前部センサ２６７に到着するまで前進・後退を繰り返しながら進み、その間にブラシ部２３６が内視鏡２のユニバーサルコード部１８の管路に進入してこの管路を洗滌する。遮光部材２６６が前部センサ２６７に到着したワイヤブラシ２３１は、その遮光部材２６６が第２後部センサ２６８ｂに到着するところまで後退する。
【００２０】
この第２洗滌装置５２では、前部センサ２６７と第１〜３後部センサ２６８ａ〜２６８ｃとが、次のように使用される。ワイヤブラシ２３１の遮光部材２６６が第２後部センサ２６８ｂの位置にある状態から第３後部センサ２６８ｃへ向かって始動するときには、第１〜３後部センサ２６８ａ〜２６８ｃと前部センサ２６７とのうちの第２後部センサ２６８ｂだけが遮光部材２６６を検知可能な作動状態にセットされている。ただし、ワイヤブラシ２３１が前進を開始する前に、もし必要があるならば、ワイヤブラシ２３１の先端が連結管２２６の前方に位置する状態において洗滌水をワイヤ案内部２５６へ供給して連結管２２６の内部で大きく広がっているブラシ部２３６を所要時間、例えば３０秒間程度洗滌することができる。
【００２１】
ワイヤブラシ２３１が始動した後は、遮光部材２６６が第３後部センサ２６８ｃの受光器２９２の近傍、すなわち受光器２９２を中心としてその直前から直後に至るまでの計算上における第２洗滌装置５２のローラ回転用モータの回転数範囲において第３後部センサ２６８ｃだけが遮光部材２６６を検知可能な作動状態にセットされ、その他のセンサは非作動状態にセットされている。第３後部センサ２６８ｃが作動状態にある間に遮光部材２６６が第３後部センサ２６８ｃに到着すると、第３後部センサ２６８ｃからの信号に基づいてローラ回転用モータが一旦停止し、しかる後に逆回転してワイヤブラシ２３１が後退する。
【００２２】
ワイヤブラシ２３１が後退するときには、遮光部材２６６が第３後部センサ２６８ｃから第１後部センサ２６８ａの受光器２９２の近傍、すなわち受光器２９２を中心としてその直前から直後に至るまでの計算上におけるローラ回転用モータの回転数範囲において第１後部センサ２６８ａが遮光部材２６６を検知可能な作動状態にセットされ、その他のセンサが非作動状態にセットされている。その作動状態の間に、遮光部材２６６が第１後部センサ２６８ａに到着すると、第１後部センサ２６８ａからの信号に基づいてローラ回転用モータが一旦停止する。このときにもし必要であるならば、タイマーを作動させて所要時間洗滌水を内視鏡に供給する。
【００２３】
次に、ローラ回転用モータが再び回転して遮光部材２６６が前部センサ２６７に到着するまでワイヤブラシ２３１が前進する。この前進時に作動状態にセットされるのはセンサ２６７，２６８ａ〜２６８ｃのうちで前部センサ２６７だけであって、前部センサ２６７は、部材２６６が第１後部センサ２６８ａから前部センサ２６７の近傍、すなわち前部センサ２６７の受光器２９２を中心としてその直前から直後に至るまでの計算上におけるローラ回転用モータの回転数範囲において遮光部材２６６を検知可能な作動状態にセットされる。その作動状態の間に遮光部材２６６が前部センサ２６７に到着すると、前部センサ２６７からの信号に基づいてローラ回転用モータが一旦停止し、しかる後に逆回転する。
【００２４】
その逆回転によって、ワイヤブラシ２３１は遮光部材２６６が第２後部センサ２６８ｂにまで後退する。このときの第２後部センサ２６８ｂは、遮光部材２６６が前部センサ２６７から第２後部センサ２６８ｂの近傍に至るまでの計算上におけるローラ回転用モータの回転数範囲において遮光部材２６６を検知可能な作動状態にセットされ、その他のセンサは非作動状態にセットされている。その作動状態の間に遮光部材２６６が第２後部センサ２６８ｂに到着すると、第２後部センサ２６８ｂからの信号に基づいてローラ回転用モータが停止するとともに洗滌水の供給も停止して、第２洗滌装置５２による洗滌が終了する。
【００２５】
第１洗滌装置５１のローラ回転用モータおよび第２洗滌装置５２のローラ回転用モータやその他の回転部位の回転数や回転時間を検知するには、磁気スイッチや光電センサ、接触型のリミットスイッチ等周知慣用の手段を使うことができる。
【００２６】
この発明において、第１洗滌装置５１のワイヤ案内部５６と第２洗滌装置５２のワイヤ案内部２５６とは、長さの異なるものに代えることができる。また、洗滌槽３は、第１洗滌装置５１または第２洗滌装置５２の一方のみを取り付けて使用することもできる。
【００２７】
第１洗滌装置５１において、ワイヤ案内部５６の内部を洗滌したり、ワイヤブラシ３１を交換したりする際、ワイヤブラシ３１はローラ７２を逆回転させて後退させた後に、中間案内部５６ｃの後端６５から抜き取ることができる。
【００２８】
図４は、ワイヤブラシ３１が後退した状態にあるときのワイヤ案内部５６の後端部５６ｂ近傍の断面図である。中間案内部５６ｃの後端６５にねじ部６５ａを介してつながるキャップ６１の内側には、ワイヤブラシ３１後端の遮光部材６６が延びてきているから、キャップ６１を外してその遮光部材６６の近傍を持つことによって、ワイヤブラシ３１を抜き取ることができる。第１洗滌装置５１において、ワイヤブラシ３１の全長はＬ０であり、中間案内部５６ｃは、ローラ７２の後方部位から後端６５までの長さがＬ１（図３参照）であり、中間案内部５６ｃの後端６５からキャップ６１の内側の後端までの長さがＬ２であって、ワイヤ案内部５６は、Ｌ１とＬ２との和がＬ０よりも長くなるように形成されている。また、中間案内部５６ｃは、Ｌ１がＬ０よりも短くなるように形成されている。このような第１洗滌装置５１では、キャップ６１が取り付けられている状態のままでローラ７２を後退方向へ回転させても、ワイヤブラシ３１の後端部である遮光部材６６がキャップ６１の内端に突き当たることがない。それゆえ、第１洗滌装置５１では、ワイヤブラシ３１を後退させる前に予めキャップ６１を取り外しておくという必要がない。
【００２９】
このように機能するこの発明の第１洗滌装置５１によらず、中間案内部の長さがワイヤブラシの長さよりも短く、その後端６５がキャップ６１よりも浅いキャップで閉じられている洗滌装置を使用すると、中間案内部のキャップを外し忘れてワイヤブラシを後退させたときに、ワイヤブラシの後端部がキャップの内端部に突き当たっても、ローラはワイヤブラシをさらに後退させようとするするから、ワイヤブラシはやがてローラのハウジング内で絡まり合い、折れ曲がり、再使用できないほどに損傷を受けることがある。
【００３０】
第１洗滌装置５１において、キャップ６１の長さＬ２が、好ましくは５ｍｍから５０ｍｍとなるように、ワイヤブラシの長さＬ０に対して中間案内部５６ｃの長さＬ１を定める。図示例の第２洗滌装置５２は、第１洗滌装置５１と同様なワイヤブラシ２３１と、ワイヤブラシ案内部２５６と、中間案内部２５６ｃと、キャップ２６１とを有し、これらワイヤブラシ２３１と中間案内部２５６ｃとキャップ２３１との長さの関係が、第１洗滌装置５１と同様に定められる。
【００３１】
【発明の効果】
この発明に係る内視鏡洗滌装置では、ワイヤブラシの長さＬ０よりも、ワイヤブラシを駆動するローラよりも後方に位置する案内部の長さＬ１と案内部に取り付けられるキャップの長さＬ２との和を大きくし、かつ、長さＬ１は長さＬ０よりも小さくしたから、キャップを外さずにワイヤブラシを後退させたときにも、ワイヤブラシが折れ曲がるとかローラに絡まるということがない。
【図面の簡単な説明】
【図１】内視鏡洗滌装置が使用される洗滌槽の部分頂面図。
【図２】図１の洗滌槽の斜視図。
【図３】内視鏡洗滌装置の断面図。
【図４】ワイヤ案内部の部分断面図。
【符号の説明】
２　　　　内視鏡
３１　　　ワイヤブラシ
３３　　　ワイヤ
３６　　　ブラシ
５１　　　内視鏡洗滌装置
５２　　　内視鏡洗滌装置
５６　　　ワイヤ案内部
５６ａ　　前端部
５６ｂ　　後端部
５６ｃ　　中間案内部
５７　　　駆動部
６１　　　キャップ
６５　　　　後端
２３１　　　ワイヤブラシ
２３３　　　ワイヤ
２３６　　　ブラシ
２５６　　　ワイヤ案内部
２５６ａ　　前端部
２５６ｂ　　後端部
２５６ｃ　　中間案内部
２５７　　　駆動部
２６１　　　キャップ
２６５　　　後端
【図１】
2004135806.tif 000003
【図２】
2004135806.tif 000004
【図３】
2004135806.tif 000005
【図４】
2004135806.tif 000006